(57)【要約】【課題】ジャム発生時においても扱いやすい手動両面印刷機能を実現する画像形成装置を提供する。【解決手段】本発明の画像形成装置は、用紙の供給を行う給紙部と、前記給紙部から供給された用紙に対して印刷を行う画像形成エンジン部と、前記画像形成エンジン部での用紙のジャムを検知するジャム検知部と、前記ジャム検知部によってジャムが検知された場合にジャムにより欠損した用紙を認識する欠損用紙認識部と、一方面側の印刷が実行された用紙を前記給紙部にセットした後、他方面側の印刷を実行する手動両面印刷機能と、前記手動両面印刷機能で、他方面側の印刷を実行しているときに、前記ジャム検知部がジャムを検知すると、前記欠損用紙認識部からの情報に基づき、一方面側の印刷が実行された用紙が、前記給紙部に残っているか否かを判断する第１判断部と、を有することを特徴とする。【選択図】図６
2010030236.tif 000002
【特許請求の範囲】
【請求項１】
用紙の供給を行う給紙部と、
前記給紙部から供給された用紙に対して印刷を行う画像形成エンジン部と、
印刷ジョブの全印刷データを保持するジョブデータ保持手段と、
前記画像形成エンジン部での用紙のジャムを検知するジャム検知部と、
前記ジャム検知部によってジャムが検知された場合にジャムにより欠損した用紙を認識する欠損用紙認識部と、
一方面側の印刷が実行された用紙を前記給紙部にセットした後、他方面側の印刷を実行する手動両面印刷機能と、
前記手動両面印刷機能で、他方面側の印刷を実行しているときに、前記ジャム検知部がジャムを検知すると、前記欠損用紙認識部からの情報に基づき、一方面側の印刷が実行された用紙が、前記給紙部に残っているか否かを判断する第１判断部と、
第１の判断部の判断結果に基づいて、ジャム解除後の印刷データ保持手段に保持されている印刷データの印刷実行を制御する印刷制御部とを有することを特徴とする画像形成装置。
【請求項２】
前記第１判断部で、前記給紙部に一方面側の印刷が実行された用紙が残っていると判断されたときに、さらに当該用紙と同じサイズの用紙を給紙する前記給紙部とは異なる第２給紙部が存在するか否かを判断する第２判断部を有し、
前記印刷制御部はさらに第２判断部での判断結果に基づいてジャム解除後の印刷を制御することを特徴とする請求項１に記載の画像形成装置。
【請求項３】
前記第２判断部で前記給紙部とは異なる第２給紙部が存在すると判断されたときには、前記印刷制御部はジャムの解除後に、前記第２給紙部からの給紙により印刷を実行することを特徴とする請求項２に記載の画像形成装置。
【請求項４】
前記第２判断部で前記給紙部とは異なる第２給紙部が存在しないと判断されたときには、前記印刷制御部はジャムの解除後に、前記給紙部からの給紙により印刷を実行することを特徴とする請求項２又は請求項３に記載の画像形成装置。
【請求項５】
用紙の供給を行う給紙部と、
前記給紙部から供給された用紙に対して印刷を行う画像形成エンジン部と、
前記画像形成エンジン部での用紙のジャムを検知するジャム検知部と、
前記ジャム検知部によってジャムが検知された場合にジャムにより欠損した用紙を認識する欠損用紙認識部と、
一方面側の印刷が実行された用紙を前記給紙部にセットした後、他方面側の印刷を実行する手動両面印刷機能と、を有し、
前記手動両面印刷機能で、他方面側の印刷を実行しているときに、前記ジャム検知部がジャムを検知すると、前記欠損用紙認識部からの情報に基づき、一方面側の印刷が実行された用紙が、前記給紙部に残っているか否かを判断する第１判断工程、
を備えることを特徴とする画像形成方法。
【請求項６】
前記第１判断工程で、前記給紙部に一方面側の印刷が実行された用紙が残っていると判断されたときに、さらに当該用紙と同じサイズの用紙を給紙する前記給紙部とは異なる第２給紙部が存在するか否かを判断する第２判断工程をさらに備えることを特徴とする請求項５に記載の画像形成方法。
【請求項７】
前記第２判断工程で前記給紙部とは異なる第２給紙部が存在すると判断されたときには、ジャムの解除後に、前記第２給紙部からの給紙により印刷を実行する工程を備えることを
特徴とする請求項６に記載の画像形成方法。
【請求項８】
前記第２判断工程で前記給紙部とは異なる第２給紙部が存在しないと判断されたときには、ジャムの解除後に、前記給紙部からの給紙により印刷を実行する工程を備えることを特徴とする請求項６又は請求項７に記載の画像形成方法。
【発明の詳細な説明】
【技術分野】
【０００１】
本発明は、プリンタ装置、コピー装置や、或いはスキャナ部及びプリンタ部を備えたデジタル複合機などの画像形成装置に係り、特に手動両面印刷機能を有する画像形成装置、及び手動両面印刷機能による画像形成方法に関する。
【背景技術】
【０００２】
画像形成装置の中には、両面印刷を行えるものがある。そして、この種の画像形成装置には、両面印刷の際に用紙を自動的に裏返すユニットが組み込まれているものと、そのようなユニットが組み込まれていないものとがある。
【０００３】
前述したようなユニットが組み込まれていない画像形成装置は、両面印刷の際、裏面だけに印刷が行われた用紙を一旦出力しておき、トレーなどの排紙部上の用紙の束がユーザーによって給紙トレーなどの給紙部にセットされた後でそれら用紙の表面に印刷を行うようになっている。なお、裏返しに係る作業を利用者に負担させる両面印刷は、一般に、手動両面印刷と称されている。
【０００４】
例えば、特許文献１（特開２００６―２３９９７３号公報）には、このような手動両面印刷機能を有する画像形成装置が開示されている。
【特許文献１】特開２００６―２３９９７３号公報
【発明の開示】
【発明が解決しようとする課題】
【０００５】
しかしながら、特許文献１に記載のような手動両面印刷機能を有する画像形成装置においては、手動両面印刷時に紙詰まりなどのジャムが発生し、１面側が既に印刷された用紙が欠損してしまったような場合、ジャム解除後にユーザーはどのように印刷を再開すればよいのか非常に分かりにくい、という問題があった。
【課題を解決するための手段】
【０００６】
上記のような問題に対処するために、本発明に係る画像形成装置は、用紙の供給を行う給紙部と、前記給紙部から供給された用紙に対して印刷を行う画像形成エンジン部と、印刷ジョブの全印刷データを保持するジョブデータ保持手段と、前記画像形成エンジン部での用紙のジャムを検知するジャム検知部と、前記ジャム検知部によってジャムが検知された場合にジャムにより欠損した用紙を認識する欠損用紙認識部と、一方面側の印刷が実行された用紙を前記給紙部にセットした後、他方面側の印刷を実行する手動両面印刷機能と、前記手動両面印刷機能で、他方面側の印刷を実行しているときに、前記ジャム検知部がジャムを検知すると、前記欠損用紙認識部からの情報に基づき、一方面側の印刷が実行された用紙が、前記給紙部に残っているか否かを判断する第１判断部と、第１の判断部の判断結果に基づいて、ジャム解除後の印刷データ保持手段に保持されている印刷データの印刷実行を制御する印刷制御部とを有することを特徴とする。
【０００７】
また、本発明に係る画像形成装置は、前記第１判断部で、前記給紙部に一方面側の印刷が実行された用紙が残っていると判断されたときに、さらに当該用紙と同じサイズの用紙を給紙する前記給紙部とは異なる第２給紙部が存在するか否かを判断する第２判断部を有し、前記印刷制御部はさらに第２判断部での判断結果に基づいてジャム解除後の印刷を制御することを特徴とする。
【０００８】
また、本発明に係る画像形成装置は、前記第２判断部で前記給紙部とは異なる第２給紙
部が存在すると判断されたときには、前記印刷制御部はジャムの解除後に、前記第２給紙部からの給紙により印刷を実行することを特徴とする。
【０００９】
また、本発明に係る画像形成装置は、前記第２判断部で前記給紙部とは異なる第２給紙部が存在しないと判断されたときには、前記印刷制御部はジャムの解除後に、前記給紙部からの給紙により印刷を実行することを特徴とする。
【００１０】
また、本発明に係る画像形成方法は、用紙の供給を行う給紙部と、前記給紙部から供給された用紙に対して印刷を行う画像形成エンジン部と、前記画像形成エンジン部での用紙のジャムを検知するジャム検知部と、前記ジャム検知部によってジャムが検知された場合にジャムにより欠損した用紙を認識する欠損用紙認識部と、一方面側の印刷が実行された用紙を前記給紙部にセットした後、他方面側の印刷を実行する手動両面印刷機能と、を有し、前記手動両面印刷機能で、他方面側の印刷を実行しているときに、前記ジャム検知部がジャムを検知すると、前記欠損用紙認識部からの情報に基づき、一方面側の印刷が実行された用紙が、前記給紙部に残っているか否かを判断する第１判断工程、を備えることを特徴とする。
【００１１】
また、本発明に係る画像形成方法は、前記第１判断工程で、前記給紙部に一方面側の印刷が実行された用紙が残っていると判断されたときに、さらに当該用紙と同じサイズの用紙を給紙する前記給紙部とは異なる第２給紙部が存在するか否かを判断する第２判断工程をさらに備えることを特徴とする。
【００１２】
また、本発明に係る画像形成方法は、前記第２判断工程で前記給紙部とは異なる第２給紙部が存在すると判断されたときには、ジャムの解除後に、前記第２給紙部からの給紙により印刷を実行する工程を備えることを特徴とする。
【００１３】
また、本発明に係る画像形成方法は、前記第２判断工程で前記給紙部とは異なる第２給紙部が存在しないと判断されたときには、ジャムの解除後に、前記給紙部からの給紙により印刷を実行する工程を備えることを特徴とする。
【００１４】
本発明に係る画像形成装置及び画像形成方法によれば、手動両面印刷中、１面側が既に印刷された用紙が欠損した時に、所定のシーケンスによって印刷を再開するものであるので、ユーザーはジャム解除後、どのように印刷を再開すればよいのか見当がつきやすく、ジャム発生時においても扱いやすい手動両面印刷機能を実現することができる。
【発明を実施するための最良の形態】
【００１５】
以下、本発明の実施の形態を図面を参照しつつ説明する。本実施形態においては画像形成装置としてプリンタを例にとり説明するが、本発明はこのようなプリンタに限らず単体としての、複写装置、ファクシミリ装置、或いは、プリンタ機能、スキャナ機能などを複合的に有する複合機などの画像形成装置にも適用可能なものである。また本発明の画像形成装置の画像形成エンジンとしては、レーザーやＬＥＤラインヘッドによって感光体上に潜像を形成し、これを現像する方式を採用した電子写真方式や、記録用紙上に直接インクを射出する方式を採用したインクジェット方式などのいずれも周知のハードウエア構成を用いることができる。
【００１６】
図１は本発明の実施の形態に係る画像形成装置のシステム構成の概略を示す図である。図１において、１２はＣＰＵ、１４はバス、１５はＲＯＭ、１６はＲＡＭ、１７は操作パネルインターフェイス部、１８は操作パネル部、１９はインターフェイス部、２２は画像形成エンジン部、１００は画像形成装置をそれぞれ示している。
【００１７】
画像形成装置１００は、インターフェイス部１９と、マイクロプロセッサ形態のＣＰＵ１２と、制御部プログラムなどを格納する不揮発性メモリであるＲＯＭ１５と、ワークエリアとして機能したり、上位装置からプリントデータなどをストアする揮発性メモリであるＲＡＭ１６と、操作パネルインタフェース部１７と、記録動作を行う画像形成エンジン部２２とが、バス１４を介して相互接続されており、操作パネルインタフェース部１７には操作パネル部１８が接続されている。操作パネル部１８のハードウエアは、操作に係わる表示を行うＬＣＤからなる表示部と、指などによる押圧で入力が行えるタッチパネル部とから概略構成されるものである。
【００１８】
インターフェイス部１９は、画像形成装置１００と不図示のパーソナルコンピュータ間で、ネットワークなどの通信回線を介して通信を行うためのものであり、画像形成装置１００からパーソナルコンピュータへの信号は、インターフェイス部１９を通してパーソナルコンピュータへ出力され、パーソナルコンピュータから画像形成装置１００への信号はインターフェイス部１９を通して画像形成装置１００へ入力されることとなる。
【００１９】
ＲＡＭ１６は、ＲＯＭ１５に格納されているプログラムに従って、ＣＰＵ１２が処理を行う際に、一時的に利用する各種のデータを読み書きするためのものである。また、このＲＡＭ１６は、インターフェイス部１９を介して受信したパーソナルコンピュータなどからの印刷データを保持する。
【００２０】
操作パネル部１８は、オペレータによるインターフェイス部１９のオンライン／オフライン状態の設定等の画像形成装置１００の各種動作設定の為の入力を行うスイッチが設けられている。操作パネル部１８から入力された信号は、操作パネルインタフェース部１７を介してバス１４に入力される。
【００２１】
画像形成エンジン部２２は、例えばレーザーによって感光体上に潜像を形成し、この潜像をトナーによって現像し現像像となし、この現像像をさらに用紙などの記録媒体に転写して、トナーを加熱・加圧し融着することで用紙上に永久可視像を電子写真方式のものを用いることができる。なお、このような画像形成エンジン部２２は、後述する給紙部から用紙などの記録媒体をピックアップし、印刷された用紙を載置する排紙部に排出するまでの一連の画像形成工程を担う。なお、画像形成エンジン部２２として、多数のノズルを有するインクジェット記録ヘッドを記録媒体上で走査させて記録を行うインクジェット方式を用いることもできる。
【００２２】
本実施形態においては、パーソナルコンピュータでアプリケーションを実行中にプリントが指示されると、プリンタドライバが起動され、アプリケーションで指示されたデータをラスタ形式等の所定の形式のデータに変換し制御データと共に、インタフェースケーブル（不図示）を介して画像形成装置１００に送信する。このデータと制御データを、画像形成装置１００はインターフェイス部１９で受信し、ＲＯＭ１５に格納された制御プログラムに従って、ＣＰＵ１２がＲＡＭ１６を利用して記録可能な形式の記録データに展開し、画像形成エンジン部２２に転送する。画像形成エンジン部２２は、記録データに従ってレーザー、感光体、モータなどの周知の構成を駆動して記録媒体上に記録を行う。
【００２３】
本発明の画像形成装置１００の画像形成エンジン部２２においては、用紙のジャムが発生した場合には、これを検知するジャム検知部２３を有する。このようなジャム検知部２３のための具体的なセンサ構成などは従来周知のものを適宜利用することが可能である。
【００２４】
また、本発明の画像形成装置１００においては、ジャムが発生した場合に、どの用紙が欠損したかなどを不図示の用紙カウンタなどからの情報に基づきＣＰＵ１２が把握することが可能であるものである。このようなジャムによる用紙の欠損を把握する構成が欠損用
紙認識部２４として表現されている。以上のようなジャム検知、用紙カウンタに係る機構、処理についてはいずれも周知の技術を用いることができる。
【００２５】
また本発明の画像形成装置１００においては、一つの印刷実行命令が完全に実行されるまでは、ＲＡＭ１６に全印刷データが保持され、ジャム発生後にもいて利用することができるものとする。なお、全印刷データの保持のために、書き換え可能なハードディスクドライブなどを、ＲＡＭ１６以外に設けることも可能である。
【００２６】
以上のように構成される本発明の画像形成装置１００においては、手動両面印刷と称される制御を実行する制御プログラムにＲＯＭ１５に格納されており、画像形成装置１００で手動両面印刷機能を実行することができるようになっている。ここで、画像形成装置１００における手動両面印刷機能について説明する。
【００２７】
図２は本発明の実施の形態に係る画像形成装置における手動両面印刷機能を説明する図であり、図３は本発明の実施の形態に係る画像形成装置の手動両面印刷機能による印刷例を示す図である。画像形成装置１００は、給紙部１１０から用紙を機内に取り込み、片面分の印刷を実行して、排紙部１５０に排出する。
【００２８】
ここでは例示的に、図３に示すような手動両面印刷を行う場合について説明する。すなわち、用紙の１枚目表面にＰ１を、裏面にＰ２を、用紙の２枚目表面にＰ３を、裏面にＰ４を、用紙の３枚目表面にＰ５を、裏面にＰ６を、用紙の４枚目表面にＰ７を、裏面にＰ８を、用紙の５枚目表面にＰ９を、裏面にＰ１０を印刷する場合について説明する。
【００２９】
まず、画像形成装置１００は、図２（Ａ）に示すような両面白紙の用紙が給紙部１１０にセットされた状態で、Ｐ１０→Ｐ８→Ｐ６→Ｐ４→Ｐ２の順序で印刷を実行する。すなわち、まずそれぞれの用紙の裏面側の印刷を降順で実行する。このような印刷を実行した後の状態が図２（Ｂ）に示される状態である。排紙部１５０にはＰ１０が一番下の状態で印刷出力が載置され、Ｐ１０→Ｐ８→Ｐ６→Ｐ４→Ｐ２の順序で上に重ねられた状態となる。なお、それぞれの印刷面は下方を向いた状態で画像形成装置１００から出力される。
【００３０】
図２（Ｃ）は、ユーザーが排紙部１５０上の印刷出力の束を、上下の向きを変えることなく、そのまま再び給紙部１１０にセットした状態を示している。このようなユーザー操作を要するために、本機能は「手動」両面印刷と称される。
【００３１】
図２（Ｄ）は、ユーザーによってセットされた裏面側が既印刷の用紙の各表面側を印刷実行した後の状態を示している。この表面側の印刷実行においては、Ｐ１→Ｐ３→Ｐ５→Ｐ７→Ｐ９の順序で印刷が実行される。排紙部１５０には、１枚目でＰ１が下方を向いた状態で印刷出力が載置され、２枚目→３枚目→４枚目→５枚目の順序で上に重ねられた状態となる。このような手動両面印刷のプロセスによれば、画像形成装置１００に両面印刷を実行するためのユニットが設けられていなくても、比較的な単純なユーザー操作をユーザーに１度強いるだけで、用紙両面の印刷を実現することができる。
【００３２】
次に、以上のような手動両面印刷機能の実行中に紙詰まりなどのジャムが発生した場合について説明する。
【００３３】
図４は本発明の実施の形態に係る画像形成装置の手動両面印刷機能で裏面側の印刷を実行する時の処理の流れを示す図である。
【００３４】
図４において、ステップＳ１００で、手動両面印刷機能における裏面側の処理が開始されると、続いてステップＳ１０１に進み、上位のパーソナルコンピュータなどから全ての
印刷データの読み込みを行う。
【００３５】
ステップＳ１０２では、偶数ページの後ろ（裏面側、先の図３参照）から順に印刷を実行する。
【００３６】
ステップＳ１０３では、ジャム検知部２３からの情報に基づきジャムが発生したか否かが判定される。ステップＳ１０３における判定の結果がＹＥＳであるときにはステップＳ１０４に進み、ＮＯであるときにはステップＳ１０６に進む。
【００３７】
ジャムが発生しなかった場合に進むステップＳ１０４においては、裏面側の全てのデータが印刷された否かが判定され、判定結果がＮＯであるとステップＳ１０２に戻り、ＹＥＳであるとステップＳ１０５に進む。
【００３８】
ステップＳ１０５では、排紙部１５０に排出された裏面側印刷済み用紙を、ユーザーの手動操作によって、給紙部１１０に再セットしてもらうべく所定のメッセージを操作パネル部１８に表示する。このようなメッセージの表示例を図５に示す。図５は本発明の実施の形態に係る画像形成装置の手動両面印刷機能で表示するメッセージの一例を示す図である。
【００３９】
ステップＳ１０５に引き続き、ステップＳ１０９に進み、手動両面（裏面側）印刷の処理を終了する。
【００４０】
ステップＳ１０３でジャムが発生したときに進むステップＳ１０６においては、操作パネル部１８などによって、画像形成エンジン部２でジャムが発生した旨をユーザーに対して報知すると共に、ジャムによって棄損した用紙を取り除いて、リカバリーするように要求する。
【００４１】
ステップＳ１０７では、ジャム検知部２３からの情報に基づき、ユーザーによってジャム処理がなされたか否かが判定され。ステップＳ１０７の判定結果がＮＯであるときにはステップＳ１０６に戻りループする。また、ステップＳ１０７の判定結果がＹＥＳであるときにはステップＳ１０８に進み、欠損ページからの印刷を再開する。
【００４２】
以上のような処理の流れで手動両面印刷機能における裏面側の印刷が終了すると、引き続いて表面側の印刷を実行することとなる。次に、この手動両面印刷機能における表面側の印刷の処理について説明する。
【００４３】
図６は本発明の実施の形態に係る画像形成装置の手動両面印刷機能で表面側の印刷を実行する時の処理の流れを示す図である。なお、図６に示すフローチャートにおいては、処理の流れを簡便化して示すために２度目のジャムについては発生しないことを前提としている。
【００４４】
図６において、ステップＳ２００で、手動両面機能における表面側の印刷処理が開始されると、続くステップＳ２０１では、奇数ページの前から順に印刷処理が実行される。
【００４５】
ステップＳ２０２では、ジャム検知部２３からの情報に基づきジャムが発生したか否かが判定される。ステップＳ２０２における判定の結果がＹＥＳであるときにはステップＳ２０４に進み、ＮＯであるときにはステップＳ２０３に進む。
【００４６】
ジャムが発生しなかった場合に進むステップＳ２０３においては、全てのデータが印刷された否かが判定され、判定結果がＮＯであるとステップＳ２０１に戻り、ＹＥＳである
とステップＳ２１７に進み、手動両面印刷機能による処理を終了する。
【００４７】
ステップＳ２０２でジャムが発生したときに進むステップＳ２０４においては、操作パネル部１８などによって、画像形成エンジン部２でジャムが発生した旨をユーザーに対して報知すると共に、ジャムによって棄損した用紙を取り除いて、リカバリーするように要求する。
【００４８】
ステップＳ２０５では、ジャム検知部２３からの情報に基づき、ユーザーによってジャム処理がなされたか否かが判定され。ステップＳ２０５の判定結果がＮＯであるときにはステップＳ２０４に戻りループする。また、ステップＳ２０５の判定結果がＹＥＳであるときにはステップＳ２０６に進む。
【００４９】
ステップＳ２０６では、欠損用紙認識部２４からの情報に基づき、給紙部に裏面側印刷済みの用紙がまだ存在するか否かが判定される。ステップＳ２０６における判定がＹＥＳであるときにはステップＳ２０７に進み、ＮＯであるときにはステップＳ２１３に進む。
【００５０】
ステップＳ２０７では、画像処理装置１００に、現在手動両面印刷を行っている用紙と同じサイズがセットされた、給紙部１１０とは異なる第２の給紙部１２０が存在するか否かが判定される。なお、この判定においては、給紙部１１０と、第２の給紙部１２０とで、給紙する用紙の方向にはこだわらないものとする。また、ステップＳ２０７における判定は第１の判断と称することとする。ステップＳ２０７における判定の結果がＹＥＳである場合には、ステップＳ２０８に進み、ＮＯである場合にはステップＳ２１２に進む。
【００５１】
以下、ステップＳ２１０からステップＳ２１１までを、画像形成装置１００における物理的状況とを対比させつつ説明する。図７は本発明の実施の形態に係る画像形成装置の手動両面印刷機能の表面側印刷でジャムが発生した場合を説明する図である。図７に示すような、表側の印刷を実行中にジャムによって３枚目及び４枚目が欠損した場合を例に説明する。また、図８は本発明の実施の形態に係る画像形成装置において第２の給紙部がある場合の手動両面印刷機能を説明する図であり、図７に準拠した印刷動作を説明している。なお、図８において、裏面側印刷済みの用紙が既に供給部１１０にセットされた状態（図８（Ａ））から、表面側印刷を開始する場合を図示したものである。また、図８（Ｂ）はジャムによって３枚目及び４枚目が棄損した状態を示している。
【００５２】
ステップＳ２０８においては、異なる第２の給紙部１２０からの給紙によりジャムで欠損した（裏面側）印刷を実行する。このステップＳ２０８の処理による結果が図８（Ｃ）に示すものである。
【００５３】
次の、ステップＳ２０９では、排紙部１５０に排出された裏面側印刷済み用紙を、ユーザーの手動操作によって、給紙部１１０に再セットしてもらうべく所定のメッセージを操作パネル部１８に表示する。このようなメッセージの表示例が図５に示すものである。このようなメッセージに促されたユーザーは図８（Ｄ）に示すように、裏面印刷済み用紙（Ｐ６、Ｐ８）を給紙部１１０にセットする。
【００５４】
ステップＳ２１０では、スタートが指示されたかウオッチングをしておき、スタート指示があると、ステップＳ２１１に進み、表面側の印刷を実行する。このステップＳ２１１によって印刷された結果が図８（Ｅ）に示すものである。
【００５５】
以上のような処理によれば、ジャムが発生しても、第２の給紙部が存在する場合には、図８（Ｅ）に示すように、印刷結果の順番が、１枚目→２枚目→３枚目→４枚目→５枚目とそろった状態でユーザーに提供することが可能となる。
【００５６】
また、以上のような構成、処理によれば、手動両面印刷中、裏面側が既に印刷された用紙が欠損した時に、所定のシーケンスによって印刷を再開するものであるので、ユーザーはジャム解除後、どのように印刷を再開すればよいのか見当がつきやすく、ジャム発生時においても扱いやすい手動両面印刷機能を実現することができる。
【００５７】
次に、ステップＳ２１２からステップＳ２１６までを、画像形成装置１００における物理的状況とを対比させつつ説明する。なお、ここでもジャムの発生状況については図７に示す場合を例に説明する。また、図９は本発明の実施の形態に係る画像形成装置において第２の給紙部がない場合の手動両面印刷機能を説明する図であり、図７に準拠した印刷動作を説明している。なお、図９において、裏面側印刷済みの用紙が既に供給部１１０にセットされた状態（図９（Ａ））から、表面側印刷を開始する場合を図示したものである。また、図９（Ｂ）はジャムによって３枚目及び４枚目が棄損した状態を示している。
【００５８】
ステップＳ２１２では、給紙部１１０に残っている裏面側印刷済み用紙の印刷処理を実行する。この処理による結果が図９（Ｃ）に示すものである。
【００５９】
次のステップＳ２１３では、欠損用紙認識部２４からの情報に基づいて、ジャムで欠損した用紙（裏面側印刷済み用紙）の印刷処理を実行する。すなわち、Ｐ６、Ｐ８を再度印刷し直す。
【００６０】
ステップＳ２１４では、排紙部１５０に排出された裏面側印刷済み用紙を、ユーザーの手動操作によって、給紙部１１０に再セットしてもらうべく所定のメッセージを操作パネル部１８に表示する。このようなメッセージの表示例が図５に示すものである。このようなメッセージに促されたユーザーは図９（Ｅ）に示すように、裏面印刷済み用紙（Ｐ６、Ｐ８）を給紙部１１０にセットする。
【００６１】
ステップＳ２１５では、スタートが指示されたかウオッチングをしておき、スタート指示があると、ステップＳ２１６に進み、次に表面側の印刷（Ｐ５、Ｐ７）を実行する。このステップＳ２１６によって印刷された結果が図９（Ｆ）に示すものである。
【００６２】
以上のような処理によれば、ジャムが発生した場合、第２の給紙部が存在ない場合には、図９（Ｆ）に示すように、印刷結果の順番が、１枚目→２枚目→５枚目→３枚目→４枚目とそろわない状態でユーザーに提供することとなってしまう。
【００６３】
しかしながら、以上のような構成、処理によれば、手動両面印刷中、裏面側が既に印刷された用紙が欠損した時に、所定のシーケンスによって印刷を再開するものであり、ユーザーはジャム解除後、どのように印刷を再開すればよいのか見当がつきやすく、ジャム発生時においても扱いやすい手動両面印刷機能を実現することができるのである。
【図面の簡単な説明】
【００６４】
【図１】本発明の実施の形態に係る画像形成装置のシステム構成の概略を示す図である。
【図２】本発明の実施の形態に係る画像形成装置における手動両面印刷機能を説明する図である。
【図３】本発明の実施の形態に係る画像形成装置の手動両面印刷機能による印刷例を示す図である。
【図４】本発明の実施の形態に係る画像形成装置の手動両面印刷機能で裏面側の印刷を実行する時の処理の流れを示す図である。
【図５】本発明の実施の形態に係る画像形成装置の手動両面印刷機能で表示するメッセージの一例を示す図である。
【図６】本発明の実施の形態に係る画像形成装置の手動両面印刷機能で表面側の印刷を実行する時の処理の流れを示す図である。
【図７】本発明の実施の形態に係る画像形成装置の手動両面印刷機能の表面側印刷でジャムが発生した場合を説明する図である。
【図８】本発明の実施の形態に係る画像形成装置において第２の給紙部がある場合の手動両面印刷機能を説明する図である。
【図９】本発明の実施の形態に係る画像形成装置において第２の給紙部がない場合の手動両面印刷機能を説明する図である。
【符号の説明】
【００６５】
１２・・・ＣＰＵ、１４・・・バス、１５・・・ＲＯＭ、１６・・・ＲＡＭ、１７・・・操作パネルインターフェイス部、１８・・・操作パネル部、１９・・・インターフェイス部、２２・・・画像形成エンジン部、２３・・・ジャム検知部、２４・・・欠損用紙認識部、１００・・・画像形成装置、１１０・・・第１給紙部、１２０・・・第２給紙部、１５０・・・排紙部
【図１】
2010030236.tif 000003
【図２】
2010030236.tif 000004
【図３】
2010030236.tif 000005
【図４】
2010030236.tif 000006
【図５】
2010030236.tif 000007
【図６】
2010030236.tif 000008
【図７】
2010030236.tif 000009
【図８】
2010030236.tif 000010
【図９】
2010030236.tif 000011